(57)【要約】【課題】  主母線バーに空きスペースを残してプラグインユニットを取り付けても、短絡事故等により過電流が流れた場合に隣り合う主母線バー同士が強く引き寄せられて変形することのない主母線バーの取付構造を提供する。【解決手段】  裏側にプラグを設けた接続バーを配置したプラグインユニット７を複数台取り付ける３本の主母線バー２を支持台１に固定して垂直に配置したうえ該主母線バー２の上部を嵌合する凹欠部４１を設けた補強部材４を主母線バー２の両側に配置したプラグインユニット取付レール３、３に取り付ける。【選択図】  図１
2005168250.tif 000002
【特許請求の範囲】
【請求項１】
裏側にプラグを設けた接続バーを配置したプラグインユニットを複数台取り付ける３本の主母線バーを支持台に固定して垂直に配置したうえ該主母線バーの上部を嵌合する凹欠部を設けた補強部材を主母線バーの両側に配置したプラグインユニット取付レールに取り付けたことを特徴とする主母線バーの取付構造。
【請求項２】
補強部材に絶縁バリア取付溝を設けた請求項１に記載の主母線バーの取付構造。
【請求項３】
補強部材に主母線バーの露出端部の上部を覆う保護プレートの保護プレート取付部を設けたものを請求項１又は２に記載の主母線バーの取付構造。
【発明の詳細な説明】
【技術分野】
【０００１】
本発明は、分電盤、配電盤等において裏側にプラグを設けた接続バーを配置したプラグインユニットを複数台取り付ける主母線バーの取付構造に関するものである。
【背景技術】
【０００２】
従来のプラグインユニットを複数台取り付ける帯板状の主母線バーは支持台に対して垂直に立設して下方のみ固定して取り付けるものを普通とする。しかし、これは主母線バーに空きスペースを残してプラグインユニットを取り付け、プラグインユニットのプラグが嵌合されない距離が長い場合には、短絡事故等により過電流が流れた場合に隣り合う主母線バー同士が強く引き寄せられて変形する問題がある。
【０００３】
また別の例として、主母線バーをその両端を絶縁ブロックを介して一対の支持部材に挟持したうえねじ等の締め付け部材により締付け保持して一方の支持部材を配電盤内に固定するものがある（特許文献１）。ところが、これは、支持部材が一対として主母線バーの両端の同じ箇所に位置するためプラグインユニットを取り付ける際に他方の支持部材が邪魔となる場合には、一対の支持部材全体の主母線バーへの固定位置を変更しなければならず、そのため支持部材及び主母線バーを一旦外したうえ再取付する必要がある。
【特許文献１】特開２００３−１６４０１８公開特許公報
【発明の開示】
【発明が解決しようとする課題】
【０００４】
本発明は前記のような従来の問題点を解決して、プラグインユニットの取付数が少ない場合においても短絡事故等により過電流が流れた場合に隣り合う主母線バー同士が強く引き寄せられて変形することなく、また、プラグインユニットの取付箇所を変更する場合に障害となる主母線バーの補強部材の取付位置の変更が容易な主母線バーの取付構造を提供することである。
【課題を解決するための手段】
【０００５】
本発明の主母線バーの取付構造は、裏側にプラグを設けた接続バーを配置したプラグインユニットを複数台取り付ける３本の主母線バーを支持台に固定して垂直に配置したうえ該主母線バーの上部を嵌合する凹欠部を設けた補強部材を主母線バーの両側に配置したプラグインユニット取付レールに取り付けたことを特徴とするものである。また、この発明において補強部材に絶縁バリア取付溝を設けることが好ましく、さらに、補強部材に主母線バーの露出端部の上部を覆う保護プレートの保護プレート取付部を設けることより好ましい。
【発明の効果】
【０００６】
本発明の主母線バーの取付構造は、３本の主母線バーを支持台に固定して垂直に配置したうえ該主母線バーの上部を主母線バーの両側に配置したプラグインユニット取付レールに取り付けた補強部材の凹欠部に嵌合しているから、短絡事故等により過電流が流れた場合に隣り合う主母線バー同士が強く引き寄せられて変形する変形することがないものである。また、補強部材は主母線バーの両側に配置したプラグインユニット取付レールに取り付けたものであるから、プラグインユニットの取付位置を変更する場合にその変更位置に補強部材があっても該補強部材のみの取付位置を容易に変更できるものである。
【０００７】
また、補強部材に絶縁バリア取付溝を設けておけば、主母線バーの端部側に配置した補強部材の絶縁バリア取付溝に絶縁バリアを取り付けして隣り合う主母線バー間の絶縁を確保できるものである。さらに、補強部材に主母線バーの露出端部の上部を覆う保護プレートの保護プレート取付部を設けたものであるから、保護プレートを取付できブレーカを操作する場合に手指が充電部に触れて事故をおこすことが無いものである。
【発明を実施するための最良の形態】
【０００８】
次に、本発明の好ましい実施の形態を図面に基づき説明する。
１は分電盤、配電盤等の盤面１００に取り付けた主母線バー２支持用に支持台であり、該支持台１は基台部１１の上面に３基の取付部１２を立設して各取付部１２に設けた取付孔１２ａから挿通した取付ねじ１２ｂを基台部１１に対して垂直に配置した帯状の主母線バー２に設けたねじ孔２１に螺合させて主母線バー２を固定して基台部１１を盤面１００にねじ止めして取り付けている。
【０００９】
３は主母線バー２の両側に設置した断面コ字型のプラグインユニット取付レールである。４は前記支持台１に垂直に配置して固定した３本の主母線バー２の上部を嵌合する３個の凹欠部４１を設けた絶縁材よりなる補強部材であり、該補強部材４は両側に張設した取付基部４２、４２をプラグインユニット取付レール３の上板部３１にねじ止めして取り付けて、凹欠部４１に主母線バー２の上部を嵌合して、該主母線バー２の支持台１への固定を補強するものである。この補強部材４は図６に示すように左右方向に細長な上板部４ａの前後下方に前後板部４ｂ、４ｃを左右下方の左右板部４ｄ、４ｅを垂設した逆箱状として、前後板部４ｂ、４ｃの中間に前後仕切板部４ｆを設けて、前後板部４ｂ、４ｃ及び前後仕切板部４ｆの下端に凹欠部４１を設けたものとし軽量で歪みのないものとしているが、これに限ることなく広幅な板状のものであってもよい。
【００１０】
また、前記補強部材４には絶縁バリア取付溝４３が設けられている。この絶縁バリア取付溝４３は補強部材４の前後面の双方に前記３個の凹欠部４１の中間位置に縦方向に設けたものであり、前後面に設けることにより主母線バー２の端部側に配置して絶縁バリア５を取り付ける場合に取付の方向性に関係なく常に絶縁バリア取付溝４３が主母線バー２の端部側に臨むものとしている。なお、絶縁バリア取付溝４３を補強部材４の前後面の一方に設けて補強部材４を取り付ける際に絶縁バリア取付溝４３のある一方を主母線バー２の端部側に臨むものとしても良い。
【００１１】
さらに、補強部材４には主母線バー２の露出端部の上部を覆う保護プレート６の保護プレート取付部４４が設けてある。この保護プレート取付部４４は補強部材４の上端を平面支持部４４ａに形成してその両側にねじ孔４４ｂを設けたもので、該平面支持部４４ａに保護プレート６の基端下面を当接したうえ取付ねじを保護プレート６の取付孔に挿通したうえねじ孔４４ｂに螺合して取り付けるものである。
【００１２】
７は前記主母線バー２に嵌脱自在としたプラグ７１を設けた３本の接続バー７２を絶縁基台７０の裏側に配置するとともに、該接続バー７２の先端を絶縁基台７０の表側に臨ませたうえ、該接続バー７２と接続させたブレーカ、端子台等の電気機器７３を絶縁基台７０の表側に搭載したプラグインユニットである。このプラグインユニット７はプラグ７１を主母線バー２に接続したうえ両側に張設した取付片部７４を前記プラグインユニット取付レール３の上板部３１に該取付片部７４に設けた取付孔７４ａにねじを挿通して取り付けるものである。
【００１３】
このように構成されたものは、３本の主母線バー２が支持台１に固定して垂直に配置したうえ該主母線バー２の上部を主母線バー２の両側に配置したプラグインユニット取付レール３に取り付けた補強部材４の凹欠部４１に嵌合して、主母線バー２の支持台１への固定が補強されている。従って、主母線バー２の前後に間隔をおいてプラグインユニット７を取り付けた場合においても、短絡事故等により過電流が流れた場合に隣り合う主母線バー２、２同士が強く引き寄せられても各主母線バー２は支持台１と補強部材４により強固に固定されているので変形することがないものである。
【００１４】
また、図１〜図４に示すものは補強部材４を支持台１と上下対となるようにプラグインユニット取付レール３に取り付けて、補強部材４の下端に主母線バー２の取付ねじ１２ｂと隣り合う他の主母線バー２とを隔離する隔壁部４５を設け、また、下部すなわち前後仕切板部４ｆの下端に凹部４６を設けて支持台１にこれと嵌合する凸部を設けたものとした場合に上下一対としての取り付けを容易としている。なお、補強部材４は主母線バー２の両側に配置したプラグインユニット取付レール３に取り付けたものであるから、プラグインユニット７の取付位置を変更する場合にその変更位置に補強部材４があっても該補強部材４のみをプラグインユニット取付レール３から外して別の箇所に容易に取り付けすることができる。このように、補強部材４を支持台１の位置と関係なくプラグインユニット取付レール３の任意の箇所に設置して主母線バー２の支持台１への固定を補強できるので、プラグインユニット７を間隔をおいて設置した場合にその箇所に設置することにより主母線バー２を絶縁隔離するブランクスペース部材としての機能もあるものである。
【００１５】
また、補強部材４に絶縁バリア取付溝４３を設けておけば、主母線バー２の端部側に配置した補強部材４の絶縁バリア取付溝４３に絶縁バリア５を取り付けて、隣り合う主母線バー２、２間の絶縁を確保できるものである。
【００１６】
さらに、補強部材４に主母線バー２の露出端部の上部を覆う保護プレート４の保護プレート取付部４４を設けておくことにより、保護プレート６により充電部を覆うことができブレーカを操作する場合に主母線バー２に手指が触れて事故をおこす虞が無いものである。また、保護プレート取付部４４は補強部材４の上端を平面支持部４４ａに形成してその両側にねじ孔４４ｂを設けたものとしたうえ平面支持部４４ａの前後に下向き傾斜面部４４ｃ、４４ｃを設けたものとした場合に、補強部材４がプラグインユニット７の取付開始位置となるものとした場合に、この傾斜面部４４ｃ、４４ｃが誘い込み部となりプラグインユニット７の取り付けを容易なものとする。
【図面の簡単な説明】
【００１７】
【図１】本発明の実施形態を示す斜視図である。
【図２】本発明の実施形態を示す側面図である。
【図３】本発明の実施形態を絶縁バリアを取り付けた状態で示す斜視図である。
【図４】本発明の実施形態を絶縁バリア及び保護プレートを取り付けた状態で示す斜視図である。
【図５】補強部材の1例を示す斜視図である。
【図６】補強部材の1例を下側から示す斜視図である。
【図７】プラグインユニットの１例を下側から示す斜視図である。
【図８】補強部材をブランクスペース部材として使用した１例を示す斜視図である。
【図９】本発明を使用した分電盤を示す正面図である。
【符号の説明】
【００１８】
１  支持台
２  主母線バー
３  プラグインユニット取付レール
４  補強部材
４1  凹欠部
４3  絶縁バリア取付溝
４4  保護プレート取付部
７  プラグインユニット
７１  プラグ
７２  接続バー
【図１】
2005168250.tif 000003
【図２】
2005168250.tif 000004
【図３】
2005168250.tif 000005
【図４】
2005168250.tif 000006
【図５】
2005168250.tif 000007
【図６】
2005168250.tif 000008
【図７】
2005168250.tif 000009
【図８】
2005168250.tif 000010
【図９】
2005168250.tif 000011